(57)【特許請求の範囲】
【請求項１】
底面と該底面周囲に立設される周壁とからなる便器本体の挿入側端部に形成した嵌着凹部にゲル組成物を嵌着した状態でカバーを該便器本体挿入側端部に外嵌し該便器本体の両側面下端部に設けた切欠き部に該カバーの開口端部を引掛けることによって該ゲル組成物を被覆することによって、該便器本体挿入側端部に該ゲル組成物と該カバーとからなるクッション部材を取付けたことを特徴とする挿入便器。
【請求項２】
底面と該底面周囲に立設される周壁とからなる便器本体の挿入側端部に段部を介して嵌着部を設け、該嵌着部の上周面形状に対応する形状に成形されたゲル組成物を該嵌着部上周面に被着した状態で該嵌着部にカバーを外嵌し、該便器本体の両側面下端部に設けた切欠き部に該カバーの開口端部を引掛けることによって該便器本体挿入側端部に該ゲル組成物と該カバーとからなるクッション部材を取付けたことを特徴とする挿入便器。
【請求項３】
該周壁は挿入側端に向けて低く傾斜されている請求項１または２に記載の挿入便器。
【発明の詳細な説明】
【０００１】
【発明の属する技術分野】
本発明はクッション部材を取付けた挿入便器に関するものである。
【０００２】
【従来の技術】
従来、例えば図８に示すように底面(210) と該底面(210) 周囲に立設される周壁(220) とからなる挿入便器(10)が提供されており、該挿入便器(10)は例えばＡＢＳ樹脂等の硬質のプラスチックを材料としている（実願平１０−６５４号）。
【０００３】
【発明が解決しようとする課題】
しかしながら上記従来の挿入便器(10)は、硬質のプラスチック製であるため、介護人が該挿入便器(10)を使用者の臀部の下に挿入し易いように周壁(220) が挿入側端に向けて低く傾斜されているけれども、挿入する際に該周壁(220) が使用者の尾てい骨や座骨結節に当たるため使用者が痛みを感ずるという課題があった。
【０００４】
【課題を解決するための手段】
本発明は上記従来の課題を解決するための手段として、底面(21)と該底面(21)周囲に立設される周壁(22)とからなる便器本体(2) の挿入側端部に形成した嵌着凹部(23A) にゲル組成物(31A) を嵌着した状態でカバー(32)を該便器本体(2) 挿入側端部に外嵌し該便器本体(2) の両側面下端部に設けた切欠き部(25)に該カバー(32)の開口端部を引掛けることによって該ゲル組成物(31A) を被覆することによって、該便器本体(2) 挿入側端部に該ゲル組成物(31A) と該カバー(32)とからなるクッション部材(3) を取付けた挿入便器(1) 、および底面(21)と該底面(21)周囲に立設される周壁(22)とからなる便器本体(2) の挿入側端部に段部(231B)を介して嵌着部(23B) を設け、該嵌着部(23B) の上周面形状に対応する形状に成形されたゲル組成物(31A) を該嵌着部(23B) 上周面に被着した状態で該嵌着部(23B) にカバー(32)を外嵌し、該便器本体(2) の両側面下端部に設けた切欠き部(25)に該カバー(32)の開口端部を引掛けることによって該便器本体(2) 挿入側端部に該ゲル組成物(31A) と該カバー(32)とからなるクッション部材(3) を取付けた挿入便器(1) を提供するものである。
該周壁(22)は挿入側端に向けて低く傾斜されていることが望ましい。
【０００５】
【作用】
本発明の挿入便器(1) では、底面(21)と該底面(21)周囲に立設される周壁(22)とからなる便器本体(2) の挿入側端部にクッション部材(3) を取付けたため、該挿入便器(1) を挿入する際に該クッション部材(3) が介在して尾てい骨や座骨結節が該便器本体(2) に直接当たるのを防止することが出来る。
【０００６】
該周壁(22)を挿入側端に向けて低く傾斜させておけば、くさび効果によって挿入は円滑に行われる。
更に、ゲル組成物(31)と、該ゲル組成物(31)を被覆するカバー(32)とからなるクッション部材(3) を使用すれば、該ゲル組成物(31)が使用者の臀部の形状に沿って変形して該クッション部材(3) の形状追従性を高くすることが出来る。
【０００７】
【発明の実施の形態】
〔実施例１〕
本発明を図１〜図４に示す一実施例によって説明する。ここでは、仰向けで寝ている状態の使用者に対して用いる挿入便器(1) の場合を例示する。図１および図２に示すように、挿入便器(1) は、底面(21)と該底面(21)周囲に立設される周壁(22)とからなり、該周壁(22)が挿入側端に向けて低く傾斜している便器本体(2) と、該便器本体(2) の挿入側端部に取付けられるクッション部材(3) とからなり、該クッション部材(3) はゲル組成物(31A) と、該ゲル組成物(31A) を被覆するカバー(32)とからなる。
本実施例では、該便器本体(2) の材料として例えばポリエチレン、ポリプロピレン、ポリスチレン、アクリロトリル−スチレン（ＡＳ）、アクリロニトル−ブタジエン−スチレン（ＡＢＳ）等の合成樹脂を使用し、該カバー(32)の材料として例えば不織布、編織物等を使用する。また、望ましいゲル組成物(31A) は、数平均分子量１８０，０００のトリブロック型ＳＥＢＳ３０重量部、数平均分子量１２０，０００のジブロック型ＳＥＰ７０重量部、水添石油樹脂５０重量部、更に酸化防止剤２〜５重量部をパラフィン系プロセス油７００重量部中に添加し、１８０℃で１５分間攪拌して膨潤せしめ、その後冷却することによって製造される。該ゲル組成物(31A) を包むフィルムは、柔軟性、伸縮性、ヒートシール性、耐熱性および耐薬品性等を有するウレタンを材料として使用する。
【０００８】
図３に示すように、該便器本体(2) の挿入側端部上面には該ゲル組成物(31A) の形状に対応する形状の嵌着凹部(23A) が設けられており、該ゲル組成物(31A) を該便器本体(2) の嵌着凹部(23A) に嵌着した状態で該カバー(32)を該便器本体(2) の挿入側端部に外嵌して該クッション部材(3) を被覆し、該クッション部材(3) を該便器本体(2) に取付け固定する。
このようにクッション部材(3) を便器本体(2) の挿入側端部に取付けることにより、該挿入便器(1) を挿入する際に該クッション部材(3) が介在して使用者の尾てい骨や座骨結節が該便器本体(2) に直接当たるのを防止して非常に良好な使用感を得る。
また、ゲル組成物(31A) と、該ゲル組成物(31A) を被覆するカバー(32)とからなるクッション部材(3) を使用することにより、該ゲル組成物(31A) が使用者の臀部の形状に沿って容易に変形するので、該クッション部材(3) の形状追従性が高くなり、該挿入便器(1) を長時間使用した場合でもごつごつ感がなく快適な使い心地が得られる。
【０００９】
更に本実施例では、該便器本体(2) の周壁(22)が挿入側端に向けて低く傾斜しており、また後側端部には把手(24)が設けられているので、該周壁(22)のくさび効果によって使用者が腰をあまり上げなくても、該把手(24)を介して該挿入便器(1) の差込みや引出しが容易となる。また、該便器本体(2) の両側面下端部には切欠き部(25)がそれぞれ設けられており、該切欠き部(25)に該クッション部材(3) のカバー(32)の開口端部を引掛けて該便器本体(2) から該カバー(32)が不意に外れるのを防止する。
また、該ゲル組成物(31A) は図４に示すようにゲル組成物(31B,31B) に二分割されていてもよい。
【００１０】
〔実施例２〕
図５〜図７には他の実施例が示される。図１〜図４に示した実施例１において、該便器本体(2) の挿入側端部上面に該ゲル組成物(31A) の形状に対応する形状の嵌着凹部(23A) を設け、該ゲル組成物(31A) を該便器本体(2) の嵌着凹部(23A) に嵌着した状態で該カバー(32)を該便器本体(2) の挿入側端部に外嵌して該クッション部材(3) を該便器本体(2) に取付けたのに対して、本実施例では図５に示すように、該周壁(22)が挿入側端に向けて低く傾斜している便器本体(2) の挿入側端部前側部分に段部(231B)を介して嵌着部(23B) を設け、該嵌着部(23B) の上周面形状に対応する形状に成形されたゲル組成物(31C) を該便器本体(2) の嵌着部(23B) 上周面に被着した状態で該カバー(32)を該嵌着部(23B) に外嵌し、該便器本体(2) の両側面下端部に設けた切欠き部(25)に該カバー(32)の開口端部を引掛けて該クッション部材(3) を該便器本体(2) に取付け固定する（図６参照）。
本実施例以外、該ゲル組成物(31C) は図７に示すようにゲル組成物(31D,31D) に二分割されていてもよい。
【００１１】
上記実施例以外、クッション部材(3) のゲル組成物(31)として、ウレタン系ゲルを使用してもよい。
【００１２】
【発明の効果】
本発明では、挿入便器を挿入する際にクッション部材が介在して尾てい骨や座骨結節が便器本体に直接当たるのを防止することが出来、非常に良好な使用感を得ることが出来る。
【図面の簡単な説明】
図１〜図４は本発明の一実施例を示すものである。
【図１】挿入便器の斜視図である。
【図２】挿入便器の分解斜視図である。
【図３】挿入側端部の側断面図である。
【図４】クッション部材のゲル組成物（別体）の斜視図である。
【図５】他の実施例の挿入便器の分解斜視図である。
【図６】他の実施例の挿入側端部の側断面図である。
【図７】他の実施例のクッション部材のゲル組成物（別体）の斜視図である。
【図８】従来例の挿入便器の斜視図である。
【符号の説明】
1           挿入便器
2           便器本体
21        底面
22        周壁
3           クッション部材
31        ゲル組成物
32        カバー
【図１】
0003842550.tif 000002
【図２】
0003842550.tif 000003
【図３】
0003842550.tif 000004
【図４】
0003842550.tif 000005
【図５】
0003842550.tif 000006
【図６】
0003842550.tif 000007
【図７】
0003842550.tif 000008
【図８】
0003842550.tif 000009